(57)【要約】【課題】万年筆やコンバータにインキを補給する際に、ペン先部やコンバータ先端をインキで汚してしまうことがなく、インキタンク内やコンバータ内への空気の吸入を防止し、また容器本体内のインキの量がきわめて少なくなった場合でも、効率よくインキの吸入を継続して行うことができるインキ用容器を得ることを目的とする。【解決手段】インキの減少に伴い減容変形する容器本体と、上方にインキ吸入装置とインキタンクを備えたインキ吸入具に接続可能な接続口を有し、下方を前記容器本体の内部に配したインキ吸引管と、を備えたインキ用容器。【選択図】図１
2018183948.tif 000002
【特許請求の範囲】
【請求項１】
インキの減少に伴い減容変形する容器本体と、上方にインキ吸入装置とインキタンクを備えたインキ吸入具に接続可能な接続口を有し、下方を前記容器本体の内部に配したインキ吸引管と、を備えたインキ用容器。
【請求項２】
前記インキ吸引管の中間部に、逆流防止弁を配したことを特徴とする、請求項１に記載のインキ用容器。
【請求項３】
前記容器本体が、外層体に収容されたことを特徴とする、請求項１または２に記載のインキ用容器。
【請求項４】
前記外層体を２つ以上に分割可能な構成としたことを特徴とする、請求項３に記載のインキ用容器。
【発明の詳細な説明】
【技術分野】
【０００１】
本発明は、筆記具用のインキを収容するインキ用容器に関する。
【背景技術】
【０００２】
従来より、ペン芯の後方に装着したインキ吸入器を操作することでインキタンク内へインキを補給する構造の万年筆や、万年筆のインキカートリッジの代わりに使用されるコンバータは知られており、このような万年筆やコンバータにインキの補給を行う場合、インキ用容器内に収容したインキの吸入が行われる。
【０００３】
万年筆やコンバータにインキを補給する際には、万年筆のペン先やコンバータを容器本体内に挿入してインキを吸引して補給するが、その際、ペン芯やコンバータをインキに浸けることから、ペン先部やコンバータ先端部がインキで汚れてしまう。
【０００４】
インキ用容器は、インキが少なくなった際に、ペン芯がインキに浸かり難くなることから、特許文献１（意匠登録第１１０８８５０号公報）に示されているように、容器本体内に、インキの貯留部を有したアダプターを挿着するインキ用容器も存在している。
このアダプターは、容器本体内のインキの残量が少なくなってきた際に、容器本体にキャップをした状態で、当該容器本体を傾けたり引っ繰り返したりすることで、アダプターのインキ貯留部にインキを貯めてペン芯をインキに浸かりやすくさせ、インキの吸入を行いやすくすることができる。
しかしながら、アダプターを有したインキ用容器であっても、インキを吸入する際にはペン先部をインキに浸ける必要があり、ペン先部は汚れてしまう。
【０００５】
特許文献２（実用新案登録第２５５６９５１号公報）に示されているように、インキ用容器の開口部に配される充填装置も存在している。
この充填装置は、コンバータ先端部と密封状態で接続可能な接続口を有し、接続口からインキ用容器の内部底壁近傍まで延びる管状の導液部材を有しており、コンバータ先端部を汚すことなくインキの吸入を行うことができる構造となっている。
しかしながら、当該充填装置では、インキの補給を行う場合に、まず管状の導液部材内に存在している空気がコンバータ内に吸入され、その後にインキの吸入が始まるために、効率の良い吸入が妨げられてしまうことになる。
また、容器本体内のインキの量がきわめて少なくなった場合には、管状の導液部材がインキ用容器の底に残ったインキに届かず、管状の導液部材の位置をずらすなどしなければ、インキの吸入を行うことができない場合もある。
【先行技術文献】
【特許文献】
【０００６】
【特許文献１】意匠登録第１１０８８５０号公報
【特許文献２】実用新案登録第２５５６９５１号公報
【発明の概要】
【発明が解決しようとする課題】
【０００７】
本発明では、万年筆やコンバータに対してインキの補給を行う際に、ペン先部やコンバータ先端部をインキで汚してしまうことがなく、インキタンク内やコンバータ内への空気の吸入を防止し、また容器本体内のインキの量がきわめて少なくなった場合でも、効率よくインキの吸入を継続して行うことができるインキ用容器を得ることを目的とする。
【課題を解決するための手段】
【０００８】
本発明は、下記構成を有する。
【０００９】
本発明は、
「１．インキの減少に伴い減容変形する容器本体と、上方にインキ吸入装置とインキタンクを備えたインキ吸入具に接続可能な接続口を有し、下方を前記容器本体の内部に配したインキ吸引管と、を備えたインキ用容器。
２．前記インキ吸引管の中間部に、逆流防止弁を配したことを特徴とする、前記１項に記載のインキ用容器。
３．前記容器本体が、外層体に収容されたことを特徴とする、前記１項または２項に記載のインキ用容器。
４．前記外層体を２つ以上に分割可能な構成としたことを特徴とする、前記３項に記載のインキ用容器。」である。
【００１０】
本発明によれば、接続口に対して、インキ吸入装置とインキタンクを備えた万年筆のペン芯の空気溝あるいはコンバータの先端部を接続させることで、ペン先部やコンバータの先端部をインキで汚さずに、容器本体内のインキをインキタンク内へ補給することが可能となり、インキの減少に伴い容器本体が減容変形することから、インキ吸入が終了した後もインキ吸引管の内部のインキは容器本体内に戻ることなく当該インキ吸引管内に残り、次回のインキ吸入時においても空気を吸入することなく容器本体内のインキをインキタンクへ吸入させることが可能となり、また容器本体内のインキの量がきわめて少なくなった場合でも、インキの吸入を継続して行うことが可能となる。
また、容器本体内のインキが空気に触れることがないため、インキの保存安定性に優れる。
【００１１】
本発明における容器本体は、内部に収容されたインキの減少にともない減容変形する可撓性材料で形成されることが好ましい。
具体的には、ナイロン樹脂などのポリアミド樹脂、ポリエステル樹脂、ポリエチレン樹脂やポリプロピレン樹脂などのポリオレフィン樹脂といった樹脂材料で成形されたフィルムなどで形成される。インキ中の水分の蒸発によってインキの粘度やｐＨや表面張力などの物性が変化することがないように、水分の透過性が低く、インキ中に樹脂成分が溶出しないポリエチレン樹脂がより好ましい。
前記フィルムやアルミニウム箔などを用いた同質あるいは材質の異なる２層以上の多層構造で形成することにより、遮光性やバリア性を高めることもできる。また、前記フィルムに紫外線吸収剤などを添加してもよい。
【００１２】
容器本体に収容するインキは、従来万年筆などの筆記具に普通に用いられるインキを用いることができる。
容器本体が、内部に収容されたインキの減少にともない減容変形するため、容器本体内のインキが空気に触れることがなく、インキに黴が生えたりするなどの、析出物や凝集物などの異物が発生することや、インキに異物が混入することや、インキ中の水分が蒸発してインキの粘度やｐＨや表面張力などの物性が変化することや、インキの色が変化することなど、インキとしての機能を果たせなくなることを防止し、インキの保存安定性に優れたインキ用容器となる。
また、万年筆やコンバータにインキを補給する際にも、直接外気に触れることなくインキを補給できるため、インキに異物が混入することがない。
【００１３】
本発明におけるインキ吸引管は、樹脂、金属、ガラスなどで形成することができる。
具体的には、シリコーン樹脂、ウレタン樹脂、ポリスチレン樹脂、ポリ塩化ビニル樹脂、ポリエチレンテレフタレート樹脂、ポリプロピレン樹脂、ポリエチレン樹脂などの樹脂で形成することができ、また透明にすることで、インキ吸引管の内部を流れるインキを視認することが可能となる。インキ吸引管を金属で形成する場合には、インキに対して耐食性が強いステンレスで形成することが好ましい。またインキ吸引管は、樹脂とステンレスとを組み合わせて形成することもできる。
【００１４】
また、インキ吸引管の接続口は、万年筆のペン芯に形成された空気溝あるいはコンバータの先端部に挿通できるよう形成する必要がある。
なお、接続口へのコンバータの接続方法としては、コンバータの先端部に設けられている開口に接続口を挿通させる方法以外にも、接続口の先端に凹部を形成して、当該凹部にコンバータの先端部を挿通させる方法もある。
また、インキ吸引管の接続口と、ペン芯に形成された空気溝あるいはコンバータの先端部との関係は、連結される互いの外面形状と内面形状とを一致させることで密着できるようにするか、接続口の外面を外力によって変形しやすい柔らかいシリコーン樹脂やウレタン樹脂などで形成して密着させやすくすることで、インキの吸入効率を向上させることが可能となる。
【００１５】
また、逆流防止弁を設ける場合には、万年筆やコンバータのインキ吸入機構の作動によって生じる負圧で作動する逆流防止弁を用いることができ、ダックビル式、ダイヤフラム式、ディスク式、ボール式などの、垂直配管での利用が可能な構造を適宜採用することができる。
また、材質としてはシリコーン樹脂、ナイロン樹脂、ポリプロピレン樹脂、ポリカーボネート樹脂などの樹脂で形成することができる。
【００１６】
また、前記容器本体を、外層体に収容された構成とする場合には、外部からの衝撃では当該容器本体が変形しないように、ポリスチレン樹脂、ポリ塩化ビニル樹脂、ポリエチレンテレフタレート樹脂、ポリプロピレン樹脂、ポリエチレン樹脂などの樹脂材やガラス、金属などの材料で当該外層体を形成することが好ましい。
また、前記外層体を透明材で形成したり、側面に窓孔を設けたりすることなどにより、中で小さく減容変形した容器本体を視認してインキの残量を確認できるものとなる。
さらに、外層体を２つ以上に分割可能な構成とすることで、インキを収容して膨張した容器本体をその内部に収容させることが容易となる。
【発明の効果】
【００１７】
本発明によれば、万年筆やコンバータに対してインキの補給を行う際に、ペン先部やコンバータ先端部をインキで汚してしまうことがなく、インキタンク内やコンバータ内への空気の吸入を防止し、また容器本体内のインキの量がきわめて少なくなった場合でも、インキの吸入を継続して行うことができるインキ用容器を得ることができる。
また、容器本体内のインキが空気に触れることがないため、インキの保存安定性に優れる。
【図面の簡単な説明】
【００１８】
【図１】本実施例のインキ用容器の縦断面図である。
【図２】本実施例の容器本体の斜視図である。
【図３】図１の逆流防止弁部分を拡大した縦断面図である。
【図４】万年筆にインキを補給している状態を示す縦断面図である。
【図５】本実施例のインキ用容器の縦断面図であり、図１とは直角な別方向の縦断面図である。
【図６】図５の状態からインキの減少に伴い本体が減容変形した状態を示す縦断面図である。
【図７】本実施例のインキ用容器の正面図である。
【発明を実施するための形態】
【００１９】
以下に、図面を参照して本発明の実施例を詳細に説明する。
【００２０】
図１は、本実施例のインキ用容器の縦断面図であり、図２は、本実施例の容器本体の斜視図であり、図３は、図１の逆流防止弁部分を拡大した縦断面図であり、図７は、本実施例のインキ用容器の正面図である。
【００２１】
インキ用容器１は、外層体２の内部に容器本体３が収容されている。
外層体２は、上部外層体２１の下端部に形成された凹部と、下部外層体２２の上端部に形成された凸部と、が嵌合されて形成されている。上部外層体２１には、窓孔１１が貫設されている。なお、上部外層体２１および下部外層体２２は、ポリエチレンテレフタレート樹脂で形成されている。
容器本体３は、ポリエチレン樹脂のフィルムの縁部を熱溶着することで袋状に形成してあり、両側面を袋の内方に折り込んでマチ部を設けてあり、内部にはインキ４が収容されている。
インキ吸引管５は、上部インキ吸引管５１と下部インキ吸引管５２とを備え、インキ吸引管５の中間部となる上部インキ吸引管５１と下部インキ吸引管５２の間には、逆流防止弁６が設けられている。
下部インキ吸引管５２は、容器本体３に挿入され、溶着部３ａで容器本体３に固着され、上部が容器本体３から露出している。なお、上部インキ吸引管５１と下部インキ吸引管５２は、シリコーン樹脂で形成されている。
逆流防止弁６は、ナイロン樹脂で形成された先端側ハウジング部６ａと、ナイロン樹脂で形成された基端側ハウジング部６ｂと、シリコーン樹脂で形成され基端側から先端側に向かうインキの流動を規制する弁体（ダックビル弁）６ｃとで構成されている。
上部インキ吸引管５１の下端部は、逆流防止弁６の上端部に挿着され、下部インキ吸引管５２の上端部は、逆流防止弁６の下端部に挿着されている。
外層体２の開口部７には、シリコーン樹脂で形成された円盤状の連結部材８を嵌着している。連結部材８には装着孔８ａと空気導入孔８ｂが貫設されており、装着孔８ａには前記逆流防止弁６が嵌合により装着されている。
上部インキ吸引管５１の先端部には、接続口５１ａが形成されている。
外層体２の開口部７の外側には雄螺子が設けられ、蓋体９の内側には雌螺子が設けられ、開口部７が蓋体９で閉塞される。蓋体９の内天面には、シリコーン樹脂で形成されたパッキン１０を嵌着してあり、パッキン１０には、上部インキ吸引管５１の先端部に形成された接続口５１ａを挿着できるよう凹部１０ａが形成されている。
【００２２】
次に図４、図５、図６、図７を用いて、万年筆にインキを補給する状態について説明を行う。図４は、万年筆にインキを補給している状態を示す縦断面図であり、図５は、本実施例のインキ用容器の縦断面図であり、図１とは直角な別方向の縦断面図であり、図６は、図５の状態からインキの減少に伴い本体が減容変形した状態を示す縦断面図であり、図７は、本実施例のインキ用容器の正面図である。
万年筆１００は、ペン先１０１とペン芯１０２とを重ねたペン先部１０３を下方に向け、ペン芯１０２に形成した空気溝１０２ａに、上部インキ吸引管５１の上端部に形成された接続口５１ａを挿通させ、インキ吸入機構１０４の回転操作部１０５を回転することで弁体１０６を前進させた状態にして、回転操作部１０５を逆回転することで弁体１０６を後退させてインキタンク１０７内を負圧にし、ペン芯１０２を通して容器本体３のインキ４を万年筆１００のインキタンク１０７に吸入することができた。
インキ４が万年筆１００のインキタンク１０７に吸引されることにより、容器本体３は図５に示す状態から図６に示す状態のように、吸引されたインキ４の減少に伴って減容変形し、外層体２の内部が減圧状態になったが、この時、連結部材８に空気導入孔８ｂが設けられていることから、外層体２の内部が負圧になることなく、スムーズなインキの吸引を行うことができた。
また、上部外層体２１の側面には窓孔１１が設けられていることから、インキの吸引により中で小さく減容変形した容器本体を視認して、インキの残量を確認することができた。
インキ吸入操作後に万年筆１００を接続口５１ａから抜去した後は、容器本体３が減容変形している状態が維持され、さらに逆流防止弁６が機能することから、インキ吸引管５の内部のインキ４は容器本体３に戻ることなく、インキ吸引管５ならびに逆流防止弁６の内部にインキ４が満たされた状態を保つことができる。
なお、インキ吸入後に外層体２の開口部７を蓋体９で閉塞すると、接続口５１ａがパッキン１０の凹部１０ａに挿着されることから、インキ吸引管５および逆流防止弁６の内部に満たされたインキが経時的に乾燥することを防止できる。
【００２３】
本実施例のインキ用容器１によれば、万年筆１００のペン先部１０３をインキ４に浸けることなく、インキ４の吸入を行うことができるので、ペン先部１０３がインキ４によって汚れてしまうことがない。
また、インキ４の減少に伴い容器本体３が減容変形することで、インキ吸入が終了した後もインキ吸引管５の内部のインキは容器本体３内に戻ることがなく当該インキ吸引管５内に残り、次回のインキ吸入時においても空気を吸入することなく容器本体３内のインキ４を万年筆１００のインキタンク１０７へ吸入することが可能となり、容器本体３内のインキ４の量がきわめて少なくなった場合でも、効率よくインキ４の吸入を継続して行うことが可能となる。
また、上部外層体２１の側面に窓孔１１が設けられていることで、インキの残量を確認することができ、装飾性にもすぐれたインキ用容器となる。
【符号の説明】
【００２４】
１…インキ用容器、
２…外層体、２１…上部外層体、２２…下部外層体、
３…容器本体、３ａ…溶着部、
４…インキ、
５…インキ吸引管、５１…上部インキ吸引管、５１ａ…接続口、５２…下部インキ吸引管、
６…逆流防止弁、６ａ…先端側ハウジング部、６ｂ…基端側ハウジング部、
６ｃ…弁体（ダックビル弁）、
７…開口部、
８…連結部材、８ａ…装着孔、８ｂ…空気導入孔、
９…蓋体、
１０…パッキン、１０ａ…凹部、
１１…窓孔、
１００…万年筆、１０１…ペン先、１０２…ペン芯、１０２ａ…空気溝、１０３…ペン先部、１０４…インキ吸入機構、１０５…回転操作部、１０６…弁体、１０７…インキタンク。
【図１】
2018183948.tif 000003
【図２】
2018183948.tif 000004
【図３】
2018183948.tif 000005
【図４】
2018183948.tif 000006
【図５】
2018183948.tif 000007
【図６】
2018183948.tif 000008
【図７】
2018183948.tif 000009